(57)【要約】【課題】幕板を有さない遊技機の外枠を提供する。【解決手段】上下左右の枠部材２〜５を有する遊技機の外枠１であって、下の枠部材５に、前枠の下端部を回動可能に支持する下蝶番７が取付けられており、下蝶番７は、下の枠部材５の上方にて手前側に張出す張出部７ｂを有している。左右の枠部材３，４の下端部手前側間には、前枠を下側から支持する幕板を有することなく、該下端部手前側間を覆い飾る飾り板６が配設されており、飾り板６は、下蝶番７の張出部７ｂの下側にて、下蝶番７と別個に枠部材２〜５側に対して脱着され得る構成になっている。【選択図】図２
2007282979.tif 000002
【特許請求の範囲】
【請求項１】
矩形枠状に枠組みされる上下左右の枠部材を有する遊技機の外枠であって、
前記左の枠部材または前記下の枠部材に、前枠の下端部を回動可能に支持する下蝶番が取付けられており、該下蝶番は、前記下の枠部材の上方にて手前側に張出す張出部を有しており、
前記左右の枠部材の下端部手前側間には、前記前枠を下側から支持する幕板を有することなく、該下端部手前側間を覆い飾る飾り板が配設されており、該飾り板は、前記下蝶番の張出部の下側にて、前記下蝶番と別個に前記枠部材側に対して脱着され得る構成になっていることを特徴とする遊技機の外枠。
【請求項２】
請求項１に記載の遊技機の外枠であって、
右の枠部材または下の枠部材に、前枠の下端部を滑り上げて前枠を下から支持する滑り板が設けられており、該滑り板は、前記下の枠部材の上方にて手前側に張出す張出部を有しており、
飾り板は、前記滑り板の張出部の下側にて、前記飾り板と別個に前記枠部材側に対して脱着され得る構成になっていることを特徴とする遊技機の外枠。
【発明の詳細な説明】
【技術分野】
【０００１】
本発明は、遊技島に取付けられるパチンコ機やスロットマシンなどの遊技機の外枠に関する。
【背景技術】
【０００２】
遊技機の外枠は、一般に、矩形枠状に枠組みされる上下左右の枠部材と、左右の枠部材の下端部手前側間に取付けられる幕板を有している（特許文献１，２参照）。そして幕板の左側上面には、前枠の下端部を回動可能に支持する下蝶番が取付けられており、幕板の右側上面には、前枠の下端部を滑り上げる滑り板が取付けられている。そのため幕板によって前枠を下側から支持するため、幕板には、前枠に取付けられた遊技盤や基盤等の重みが掛かっており、従来、幕板は、必要不可欠な部材であった。そして幕板の前面には、遊技盤の種類を変更する度に交換される樹脂製の飾り板が着脱可能に取付けられていた。
【特許文献１】特開２００４−１９４７２６号公報
【特許文献２】特開２００５−２３７５１１号公報
【発明の開示】
【発明が解決しようとする課題】
【０００３】
しかし外枠は、コスト低減のために部品点数を削減できる構成であることが好ましい。
そこで本発明は、部品点数を少なくするために、従来必要不可欠であった幕板を有さない遊技機の外枠を提供することを課題とする。
【課題を解決するための手段】
【０００４】
前記課題を解決するために本発明は、各請求項に記載の通りの構成を備える遊技機の外枠であることを特徴とする。
請求項１に記載の発明によると、左の枠部材または下の枠部材に、前枠の下端部を回動可能に支持する下蝶番が取付けられており、該下蝶番は、下の枠部材の上方にて手前側に張出す張出部を有している。そして左右の枠部材の下端部手前側間には、前枠を下側から支持する幕板を有することなく、該下端部手前側間を覆い飾る飾り板が配設されており、該飾り板は、前記下蝶番の張出部の下側にて、前記下蝶番と別個に前記枠部材側に対して脱着され得る構成になっている。
【０００５】
したがって前枠に取付けられた遊技盤や基盤等の重みは、下蝶番を介して左の枠部材または下の枠部材によって支持される。そのためこれらの重みを支持するために従前必要であった幕板が不要になり、幕板を有さないことで外枠の部品点数が少なくなる。
そして飾り板は、下蝶番の張出部の下側に配設されているため、下蝶番によって遊技盤や基盤等の重みが掛かることが防止される。しかも飾り板は、下蝶番と別個に枠部材側に対して脱着されるため、容易に交換され得る。
【０００６】
請求項２に記載の発明によると、右の枠部材または下の枠部材に、前枠の下端部を滑り上げて前枠を下から支持する滑り板が設けられており、該滑り板は、下の枠部材の上方にて手前側に張出す張出部を有している。そして飾り板は、滑り板の張出部の下側にて、飾り板と別個に枠部材側に対して脱着され得る構成になっている。
【０００７】
したがって前枠を外枠に対して開いた位置から閉じた位置に回動させた際に、前枠の下端部が滑り板の上面に滑り上げられる。そのため前枠に取付けられた遊技盤や基盤等の重みは、滑り板を介して右の枠部材または下の枠部材によって支持される。そのためこれらの重みを支持するために従前必要であった幕板が不要になり、幕板を有さないことで外枠の部品点数が少なくなる。
そして飾り板は、滑り板の張出部の下側に配設されているため、滑り板によって遊技盤や基盤等の重みが掛かることが防止される。しかも飾り板は、滑り板と別個に枠部材側に対して脱着されるため、容易に交換され得る。
【発明の効果】
【０００８】
本発明によると、外枠は、従来必要であった幕板を有さない部品点数の少ない構成になる。
【発明を実施するための最良の形態】
【０００９】
本発明の実施の形態を図１〜１２にしたがって説明する。
外枠１は、図１，２に示すように矩形枠状であって、木製の上下の枠部材２，５と、アルミニウム製の左右の枠部材３，４と、これら枠部材２〜５を連結する連結部材１０〜１３を有している。外枠１の左下には、図１，３に示すように前枠の左下端部を回動可能に支持する下蝶番７が取付けられており、左上には、前枠の左上端部を回動可能に支持する上蝶番１４が取付けられている。
【００１０】
右下の連結部材１３には、図１，４に示すように前枠の下端部を滑り上げるための滑り板８が一体に形成されている。
左右の枠部材３，４の下端部手前側間には、従来、前枠を下側から支持するために必要であった幕板が設けられていない。そして幕板が設けられていないが、左右の枠部材３，４の下端部手前側間には、これらの間を覆い飾る飾り板６が配設されている。
【００１１】
上下の枠部材２，５は、図２に示すように左右両端部に溝部２ａ，５ａを有している。
溝部２ａ，５ａは、枠部材２，５の端部中央から凹設されており、厚み方向に貫通している。
左右の枠部材３，４は、図２，７に示すように木製の上下の枠部材２，５の厚さ（約１９ｍｍ）よりも薄く、例えば厚さ３〜６ｍｍの薄板状になっている。
右の枠部材４は、後ろ寄り位置（図２左位置）に上下に延出するレール部４ａを有している。
【００１２】
レール部４ａは、図２，６に示すように右の枠部材４よりも短くなっており、右の枠部材４の上下端縁とレール部４ａの上下端縁の間にスペース４ｄ，４ｅを形成している。そしてスペース４ｄ，４ｅに上下の枠部材２，５の右端部が設置される。
レール部４ａの上下部は、連結部材１２，１３の一部が挿入される挿入取付部４ｂ，４ｃになっている。すなわち挿入取付部４ｂ，４ｃが、右の枠部材４の上下両端部の後ろ寄り位置に形成されており、挿入取付部４ｂ，４ｃの取付孔４ｂ１，４ｃ１に連結部材１２，１３の取付脚が挿入される。
【００１３】
左の枠部材３は、図２，３に示すように右の枠部材４と左右対称に形成されており、後ろ寄り位置にレール部３ａを有している。そしてレール部３ａの上下部（挿入取付部）である挿入取付部に、連結部材１０，１１の取付脚が挿入される。
【００１４】
連結部材１０〜１３は、図２に示すように鋼材などの板金から形成される金具であって、外枠１の枠内側に配設される。
連結部材１２は、図５に示すように一対のＬ字部１２ａ，１２ｂと、Ｌ字部１２ａ，１２ｂの間に形成されるほぞ部１２ｃを一体に有している。
【００１５】
Ｌ字部１２ａ，１２ｂは、図５，７に示すように右の枠部材４の後ろ寄り位置と前寄り位置に並設される。
後ろ寄りのＬ字部１２ａは、Ｌ字状であって取付脚１２ａ１と取付片１２ａ２を有している。取付脚１２ａ１は、右の枠部材４の挿入取付部４ｂに挿入されて右の枠部材４に取付けられる（図６参照）。取付片１２ａ２は、上の枠部材２の下面に取付けられる。
【００１６】
前寄りのＬ字部１２ｂは、図５，７に示すようにＬ字状であって前側取付脚１２ｂ１と前側取付片１２ｂ２を有している。前側取付脚１２ｂ１は、右の枠部材４の内側面に取付けられる（図６参照）。前側取付片１２ｂ２は、上の枠部材２の下面に取付けられる。
ほぞ部１２ｃは、図３に示すように取付片１２ａ２，１２ｂ２から上方に延出する一対の延出片１２ｃ１，１２ｃ２と、一対の延出片１２ｃ１，１２ｃ２を連結する連結片１２ｃ３を有している。そして上の枠部材２の溝部２ａにほぞ部１２ｃが嵌合される。
【００１７】
左上の連結部材１０は、図２に示すように連結部材１２と左右対称に形成されている。すなわち連結部材１０は、一対のＬ字部とほぞ部を有している。そして後ろ側のＬ字部は、左の枠部材３の上端部に形成された挿入取付部に挿入される取付脚を有している。そして連結部材１０は、左の枠部材３の内側に取付けられ、上の枠部材２にほぞ部が嵌合され、上の枠部材２の下面にねじにて固定される。
【００１８】
左下の連結部材１１は、図２，９に示すように連結部材１２と同じ形状になっている。すなわち連結部材１１は、一対のＬ字部１１ａ，１１ｂとほぞ部１１ｃを有している。Ｌ字部１１ａは、左の枠部材３の挿入取付部３ｃに挿入される取付脚１１ａ１を有しており、ほぞ部１１ｃは、下の枠部材５の溝部５ａに嵌合される。
【００１９】
右下の連結部材１３は、図１０，１１に示すように一対のＬ字部１３ａ，１３ｂとほぞ部１３ｃを有している。Ｌ字部１３ａは、右の枠部材４の挿入取付部４ｃに挿入される取付脚１３ａ１を有しており、ほぞ部１３ｃは、下の枠部材５の溝部５ａに嵌合される。そしてＬ字部１３ａの取付片１３ｂ２には、滑り板８と支持部１３ｅが一体に設けられている。
支持部１３ｅは、図１１（Ａ）に示すように取付片１３ｂ２から左方向延出しており、図１０に示すように支持部１３ｅに飾り板６の取付部６ｂが取付けられる。
【００２０】
滑り板８は、図１０，１１に示すように断面Ｌ字状であって、立設部８ａと張出部８ｂを有している。立設部８ａは、取付片１３ｂ２に一体に形成されており、取付片１３ｂ２の前端縁から上方に延出している。張出部８ｂは、立設部８ａの上端縁から手前側に張出しており、下の枠部材５の上方にて下の枠部材５よりも手前側に張出している。このため滑り板８は、前枠の下端部を滑り上げ、滑り板８を下側から支持する構成になっている。
【００２１】
外枠１の左側の上下部には、図２に示すように前枠を回動可能に支持する上蝶番１４と下蝶番７が取付けられる。
上蝶番１４は、鋼材などの金属材から形成されており、本体板部１４ａと突出部１４ｂと取付板部１４ｃを一体に有している。本体板部１４ａは、上の枠部材２の上面に設置されてねじ２０にて連結部材１０とともに上の枠部材２に友締めされる。突出部１４ｂは、本体板部１４ａの前端部から手前側に突出しており、前枠の左側上端部を回動可能に支持する。取付板部１４ｃは、左の枠部材３の外側面に設置されてねじ２０にて連結部材１０とともに左の枠部材３に友締めされる。
【００２２】
下蝶番７は、鋼材などの金属材から形成されており、図３，９に示すように本体取付部７ａと立設部７ｂと張出部７ｃを一体に有している。
本体取付部７ａは、連結部材１１の上方に設置されてねじ２０にて連結部材１１とともに下の枠部材５に友締めされる。
立設部７ｂは、本体取付部７ａの前端縁から上方に延出している。
張出部７ｃは、立設部７ｂの上端縁から手前側に延出し、前端近傍位置に突出部７ｄを有している。突出部７ｄは、上方に突出しており、突出部７ｄに前枠の左側下端部が回動可能に取付けられる。
【００２３】
図９に示すように本体取付部７ａの右端縁（図９左端縁）には、右方向（図９左方向）に延出する支持部７ｅが形成されている。支持部７ｅには、飾り板６の取付部６ａがねじ２０によって取付けられる。
本体取付部７ａの左端縁（図９右端縁）には、上方に突出して連結部材１１の取付脚１１ｂ１に沿うことで、下蝶番７の位置ズレを防止する位置ズレ防止部７ｆが形成されている。本体取付部７ａの中央には、下方に張出して連結部材１１のほぞ部１１ｃに沿うことで、下蝶番７の位置ズレを防止する位置ズレ防止部７ｇが形成されている。
【００２４】
図１に示すように右の枠部材４のレール部４ａには、上寄り位置と下寄り位置に係止爪１７，１８が取付けられている。
係止爪１７，１８は、外枠１に回動可能に取付けられる前枠の施錠装置が係止される部材であって、爪本体１７ａ，１８ａと保持板１７ｂ，１８ｂを有している。爪本体１７ａ，１８ａと保持板１７ｂ，１８ｂは、隙間を有した状態でねじにて連結され、保持板１７ｂ，１８ｂが右の枠部材４のレール部４ａに挿入され、爪本体１７ａ，１８ａがレール部４ａよりも枠中心側に配設される。そして係止爪１７，１８をレール部４ａに沿って上下に位置調整して、ねじの締付けによって係止爪１７，１８をレール部４ａに固定する。
【００２５】
飾り板６は、図１に示すように外枠１の下側部を装飾する部材であって、左右の枠部材３，４の下端部手前側間に配設される。飾り板６は、樹脂製であって、図１２に示すように平面状の表面部６ｃと、表面部６ｃの外周縁に形成される外周縁部６ｄを一体に有している。外周縁部６ｄは、表面部６ｃの外周縁から後方（図１２紙面手前）に延出し、上辺と下辺の間を連結する複数の補強リブ６ｅによって補強されている。
【００２６】
表面部６ｃの裏側には、図１２に示すように後方（図１２紙面手前）に延出する一対の取付部６ａ，６ｂが形成されている。取付部６ａは、図９に示すように下蝶番７の支持部７ｅの上面にねじ２０にて取付けられる。取付部６ｂは、図１０に示すように連結部材１３の支持部１３ｅの上面にねじ２０にて取付けられる。そして飾り板６は、下蝶番７の張出部７ｃと、滑り板８の張出部８ｂの下方位置に取付けられる。したがって飾り板６は、下蝶番７や滑り板８を枠部材４，５側からバラスことなく、二本のねじ２０にて枠部材４，５側から脱着され得る。
【００２７】
外枠１の組付け方法は、先ず、図２に示すように右の枠部材４のレール部４ａに係止爪１７，１８を取付ける。
次に、左右の枠部材３，４に連結部材１０〜１３をねじ１０によって取付け、左の枠部材３と連結部材１０，１１とを一体にし、右の枠部材４と連結部材１２，１３とを一体にする。そして連結部材１０〜１３のほぞ部１０ｃ〜１３ｃに上下の枠部材２，５の溝部２ａ，５ａを嵌合し、連結部材１０〜１３と上下の枠部材２，５をねじ２０によって固定する。
【００２８】
次に、上蝶番１４を上の枠部材２の上に設置し、上蝶番１４をねじ２０によって上の枠部材２と左の枠部材３に取付ける。そして下蝶番７を下の枠部材５に設置し、下蝶番７をねじ２０によって下の枠部材５に取付ける。そして飾り板６を枠部材２〜５側に取付ける。
【００２９】
以上のようにして外枠１が形成される。
すなわち図２に示すように下の枠部材５に、前枠の下端部を回動可能に支持する下蝶番７が取付けられており、下蝶番７は、下の枠部材５の上方にて手前側に張出す張出部７ｃを有している。そして左右の枠部材３，４の下端部手前側間には、前枠を下側から支持する幕板を有することなく、該下端部手前側間を覆い飾る飾り板６が配設されており、飾り板６は、下蝶番７の張出部７ｃの下側にて、下蝶番７と別個に下の枠部材５側に対して脱着され得る構成になっている。
【００３０】
したがって前枠に取付けられた遊技盤や基盤等の重みは、下蝶番７を介して下の枠部材５によって支持される。そのためこれらの重みを支持するために従前必要であった幕板が不要になり、幕板を有さないことで外枠の部品点数が少なくなる。
そして飾り板６は、下蝶番７の張出部７ｃの下側に配設されているため、下蝶番７によって遊技盤や基盤等の重みが掛かることが防止される。しかも飾り板６は、下蝶番７を下の枠部材５からバラスことなく、別個に下の枠部材５側に対して脱着されるため、容易に交換され得る。
【００３１】
また図４に示すように滑り板８が連結部材１３を介して右の枠部材４と下の枠部材５に設けられており、滑り板８は、下の枠部材５の上方にて手前側に張出す張出部８ｂを有している。そして飾り板６は、滑り板８の張出部８ｂの下側にて、飾り板６と別個に枠部材４，５側に対して脱着され得る構成になっている。
【００３２】
したがって前枠を外枠１に対して開いた位置から閉じた位置に回動させた際に、前枠の下端部が滑り板８の上面に滑り上げられる。そのため前枠に取付けられた遊技盤や基盤等の重みは、滑り板８と連結部材１３を介して右の枠部材４と下の枠部材５によって支持される。そのためこれらの重みを支持するために従前必要であった幕板が不要になり、幕板を有さないことで外枠１の部品点数が少なくなる。
そして飾り板６は、滑り板８の張出部８ｂの下側に配設されているため、滑り板６によって遊技盤や基盤等の重みが掛かることが防止される。しかも飾り板６は、滑り板８を枠部材４，５からバラスことなく、別個に枠部材４，５側に対して脱着されるため、容易に交換され得る。
【００３３】
（他の実施の形態）
本発明は、上記の実施の形態に限定されず、以下の形態であっても良い。
（１）例えば上記の実施の形態に係る下蝶番７は、図９に示すように連結部材１１と別体に形成されていたが、連結部材１１と一体に形成される形態であっても良い。
（２）また上記の実施の形態に係る下蝶番７は、図９に示すように下の枠部材５に取付けられていた。しかし下蝶番が左の枠部材３に取付けられる形態、あるいは下の枠部材５と左の枠部材３の両枠部材に取付けられる形態であっても良い。
（３）また上記の実施の形態に係る滑り板８は、図１０に示すように連結部材１３と一体に形成されていた。しかし滑り板８が連結部材１３と別体に形成され、滑り板８が下の枠部材５または右の枠部材４に取付けられる形態であっても良い。
（４）また上記の実施の形態に係る滑り板８は、図１０に示すように下の枠部材５と右の枠部材４に取付けられていた。しかし滑り板８が下の枠部材５と右の枠部材４のいずれか枠部材のみに取付けられる形態であっても良い。
（５）また上記の実施の形態に係る下蝶番７と滑り板８は、それぞれ枠部材に対して別個に形成されていた。しかし下の枠部材または左の枠部材に下蝶番が一体に形成される形態であっても良い。そして滑り板が下の枠部材または右の枠部材に一体に形成される形態であっても良い。
【図面の簡単な説明】
【００３４】
【図１】外枠の斜視図である。
【図２】組付け前の外枠部品の斜視図である。
【図３】下蝶番近傍の外枠の斜視図である。
【図４】滑り板近傍の外枠の斜視図である。
【図５】連結部材の斜視図である。
【図６】右の枠部材の斜視図である。
【図７】外枠の右上角部の斜視図である。
【図８】図７のVIII―VIII線断面矢視図である。
【図９】下蝶番近傍の外枠の分解斜視図である。
【図１０】滑り板近傍の外枠の分解斜視図である。
【図１１】滑り板を備える連結部材の斜視図である。
【図１２】飾り板の斜視図である。
【符号の説明】
【００３５】
１・・・外枠
２・・・上の枠部材
３・・・左の枠部材
４・・・右の枠部材
５・・・下の枠部材
６・・・飾り板
６ａ，６ｂ・・・取付部
７・・・下蝶番
７ｃ・・・張出部
７ｅ・・・支持部
８・・・滑り板
８ｂ・・・張出部
１０〜１３・・・連結部材
１４・・・上蝶番
【図１】
2007282979.tif 000003
【図２】
2007282979.tif 000004
【図３】
2007282979.tif 000005
【図４】
2007282979.tif 000006
【図５】
2007282979.tif 000007
【図６】
2007282979.tif 000008
【図７】
2007282979.tif 000009
【図８】
2007282979.tif 000010
【図９】
2007282979.tif 000011
【図１０】
2007282979.tif 000012
【図１１】
2007282979.tif 000013
【図１２】
2007282979.tif 000014